(57)【要約】【課題】遮蔽板の軒樋への取付を容易に行うことのできる軒樋の遮蔽板取付構造を得る。【解決手段】軒樋１の後側耳部１４に嵌め込むクリップ６に、上方に開口するとともに深さ方向が上方から下方に向かうにつれて後方に傾斜する差し込み溝６２ａを設け、当該クリップ６を軒樋１の後側耳部１４に嵌め込んだ状態で、遮蔽板７の下端部７ｃを差し込み溝６２ａに当該差し込み溝６２ａの深さ方向にスライドさせながら差し込むことで遮蔽板７を軒樋１に取り付けるようにした。【選択図】図７
2010275691.tif 000002
【特許請求の範囲】
【請求項１】
軒樋の後側耳部に遮蔽板を取り付ける軒樋の遮蔽板取付構造において、
前記軒樋の後側耳部に嵌め込むクリップに、上方に開口するとともに深さ方向が上方から下方に向かうにつれて後方に傾斜する差し込み溝を設け、前記遮蔽板の下端部を前記差し込み溝に差し込むことで遮蔽板を軒樋に取り付けるようにしたことを特徴とする軒樋の遮蔽板取付構造。
【請求項２】
前記クリップには、前記差し込み溝内に突出して前記遮蔽板の下端部に当接する突部が設けられていることを特徴とする請求項１に記載の軒樋の遮蔽板取付構造。
【請求項３】
前記遮蔽板の下端部には、下端を上方に折り曲げて形成したはぜ部が設けられており、
前記クリップには、前記はぜ部に当接して前記遮蔽板の前記差し込み溝に対する抜けを抑制するストッパが設けられていることを特徴とする請求項１または請求項２に記載の軒樋の遮蔽板取付構造。
【請求項４】
前記遮蔽板は、当該遮蔽板の上端部が屋根先に設けられて下方に延在する水切り板の下端部よりも後方に位置するとともに、前記遮蔽板の上端部と前記水切り板の下端部とが上下方向にオーバーラップするように取り付けられていることを特徴とする請求項１〜３のうちいずれか１項に記載の軒樋の遮蔽板取付構造。
【発明の詳細な説明】
【技術分野】
【０００１】
本発明は、軒樋の遮蔽板取付構造に関する。
【背景技術】
【０００２】
従来、軒樋の遮蔽板取付構造として、軒樋の耳部にクリップを嵌合させ、当該クリップに形成された溝部に遮蔽板を差し込むことで軒樋に遮蔽板を取り付けるようにしたものが知られている（例えば、特許文献１参照）。
【先行技術文献】
【特許文献】
【０００３】
【特許文献１】実開平５−０４２４５５号公報
【発明の概要】
【発明が解決しようとする課題】
【０００４】
しかしながら、上記従来の技術では、クリップに形成された溝部の深さ方向が上方から下方に向かうにつれて前方に傾斜するものであるため、遮蔽板の軒樋への取付の際、作業者は、遮蔽板を奥から手前下方にスライドさせながら遮蔽板の下端部をクリップの溝に嵌め込まねばならなかった。そのため、遮蔽板の軒樋への取付を容易に行うことができなかった。
【０００５】
そこで、本発明は、遮蔽板の軒樋への取付を容易に行うことのできる軒樋の遮蔽板取付構造を得ることを目的とする。
【課題を解決するための手段】
【０００６】
請求項１の発明にあっては、軒樋の後側耳部に遮蔽板を取り付ける軒樋の遮蔽板取付構造において、前記軒樋の後側耳部に嵌め込むクリップに、上方に開口するとともに深さ方向が上方から下方に向かうにつれて後方に傾斜する差し込み溝を設け、前記遮蔽板の下端部を前記差し込み溝に差し込むことで遮蔽板を軒樋に取り付けるようにしたことを特徴とする。
【０００７】
請求項２の発明にあっては、請求項１に記載の軒樋の遮蔽板取付構造において、前記クリップには、前記差し込み溝内に突出して前記遮蔽板の下端部に当接する突部が設けられていることを特徴とする。
【０００８】
請求項３の発明にあっては、請求項１または請求項２に記載の軒樋の遮蔽板取付構造において、前記遮蔽板の下端部には、下端を上方に折り曲げて形成したはぜ部が設けられており、前記クリップには、前記はぜ部に当接して前記遮蔽板の前記差し込み溝に対する抜けを抑制するストッパが設けられていることを特徴とする。
【０００９】
請求項４の発明にあっては、請求項１〜３のうちいずれか１項に記載の軒樋の遮蔽板取付構造において、前記遮蔽板は、当該遮蔽板の上端部が屋根先に設けられて下方に延在する水切り板の下端部よりも後方に位置するとともに、前記遮蔽板の上端部と前記水切り板の下端部とが上下方向にオーバーラップするように取り付けられていることを特徴とする。
【発明の効果】
【００１０】
請求項１の発明によれば、遮蔽板の軒樋への取付の際に作業者は、手前から斜め下方に遮蔽板をスライドさせるだけで遮蔽板の下端部をクリップの差し込み溝に差し込むことができるため、遮蔽板の軒樋への取付を容易に行うことができるようになる。
【００１１】
請求項２の発明によれば、クリップに、差し込み溝内に突出して遮蔽板の下端部に当接する突部を設けることで、軒樋へ取り付けた遮蔽板が容易に抜けてしまうのを抑制することができる。
【００１２】
請求項３の発明によれば、遮蔽板の下端部に設けたはぜ部に当接して遮蔽板の差し込み溝に対する抜けを抑制するストッパをクリップに設けたため、軒樋へ取り付けた遮蔽板が抜けてしまうのをより一層抑制することができる。
【００１３】
請求項４の発明によれば、遮蔽板を、当該遮蔽板の上端部が屋根先に設けられて下方に延在する水切り板の下端部よりも後方に位置するとともに遮蔽板の上端部と水切り板の下端部とが上下方向にオーバーラップするように、軒樋に取り付けることで、水切り板と軒樋との間の隙間を遮蔽板で覆うことができるようになり、雨水が鼻隠し側に進入してしまうのを抑制することができる。
【図面の簡単な説明】
【００１４】
【図１】図１は、本発明の一実施形態にかかる軒樋を軒樋吊具を介して鼻隠しに取り付けた状態を示す側面図である。
【図２】図２は、本発明の一実施形態にかかる遮蔽板が取り付けられた軒樋を鼻隠しに取り付けた状態を示す側面図である。
【図３】図３は、本発明の一実施形態にかかるクリップを示す図であって、（ａ）は正面図、（ｂ）は側面図、（ｃ）は平面図である。
【図４】図４は、本発明の一実施形態にかかる遮蔽板およびクリップを軒樋へ取り付ける前の状態を示す側面図である。
【図５】図５は、本発明の一実施形態にかかる遮蔽板をクリップに取り付ける前の状態を示す側面図である。
【図６】図６は、本発明の一実施形態にかかる遮蔽板をクリップに取り付けた状態を示す側面図である。
【図７】図７は、図６の要部拡大図である。
【発明を実施するための形態】
【００１５】
以下、本発明の実施形態について図面を参照しながら詳細に説明する。なお、以下では、鼻隠しに取り付けた状態における軒樋吊具の鼻隠し側を軒樋吊具の後側、軒樋吊具の先端側を軒樋吊具の前側として説明する。
【００１６】
本実施形態にかかる軒樋１は、底壁１０と、当該底壁１０の前端から前方かつ上方に向けて斜めに延設した前壁１１と、底壁１０の後端から上方に向けて略垂直に延設した後壁１２と、を備えており、前壁１１および後壁１２の上端には前側耳部１３および後側耳部１４がそれぞれ設けられている。
【００１７】
本実施形態では、軒樋１の前壁１１は、上端が後壁１２の上端よりも上方に位置するように延設されている。この前壁１１の上端部は後方に２段階に折曲形成されており、当該上端部の後方かつ下方に延在する上壁部１１ａに、断面略半円状の前側耳部１３が設けられている。
【００１８】
そして、図１に示すように、この軒樋１を、鼻隠し２に固定した軒樋吊具３を介して支持することで、屋根先４から流下する雨水を軒樋１で受けて排水するようにしている。
【００１９】
本実施形態では、軒樋吊具３は、鼻隠し２にねじ等で固定される固定部３１と、この固定部３１に設けられ軒樋１を支持する吊具本体３２と、を備えており、吊具本体３２の前端部に、軒樋１の前側耳部１３を嵌合する断面略半円状の保持凹部３２ａが上方に開口するように設けられているとともに、後端部に、軒樋１の後側耳部１４を係止する係止片３２ｂが上方に向けて延設されている。なお、吊具本体３２は、前方に向けて略帯状に延びる天壁部３２ｃと、当該天壁部３２ｃの下方に位置し、前方に向けて略帯状に延びる底壁部３２ｄと、これら天壁部３２ｃおよび底壁部３２ｄを支持する縦壁部３２ｅとで構成されており、断面略Ｈ字状をしている。
【００２０】
そして、鼻隠し２に幅方向に間隔を設けて複数固定した軒樋吊具３の保持凹部３２ａに前側耳部１３を嵌合させるとともに係止片３２ｂに後側耳部１４を係止することで、軒樋１が軒樋吊具３に支持されている。なお、本実施形態では、軒樋１を前側耳部１３の先端１３ａが下方を向いた状態で当該前側耳部１３を保持凹部３２ａに上方から挿入し、前側耳部１３を保持凹部３２ａに挿入した状態で軒樋１を前側耳部１３を軸に後方へ回動させて後側耳部１４に設けられた係止溝１４ａに係止片３２ｂを挿入することで、軒樋１が軒樋吊具３に支持されるようになっている。
【００２１】
また、本実施形態では、屋根先４を伝って落下する雨水が鼻隠し２側に回り込んで鼻隠し２を濡らしてしまうのを抑制する水切り板５が屋根先４に設けられている。
【００２２】
さらに、本実施形態では、図２に示すように、軒樋１の後側耳部１４に嵌め込まれたクリップ６を介して遮蔽板７が軒樋１に取り付けられている。
【００２３】
遮蔽板７は、本実施形態では、鼻隠し２に固定した軒樋吊具３の間隔とほぼ同一の幅を有する略長方形状をしており、この遮蔽板７の上端部７ａには、上端を後方かつ下方に折り曲げて形成したはぜ部７ｂが設けられているとともに、下端部７ｃには、下端を後方かつ上方に折り曲げて形成したはぜ部７ｄが設けられている。そして、隣り合う軒樋吊具３の間の後側耳部１４に、幅方向に間隔を設けて複数のクリップ６を嵌め込み、このクリップ６に遮蔽板７を取り付けることで軒樋１に落下した雨水の跳ね返りが鼻隠し２を濡らしてしまうのを抑制している。
【００２４】
なお、遮蔽板の下端部に軒樋吊具との干渉を防止する切り欠きを設け、軒樋吊具を跨ぐようにして軒樋に取り付けるようにしてもよい。
【００２５】
図３に示すように、クリップ６は、下方に開口する溝部６１ａを有し軒樋１の後側耳部１４に嵌め込まれる第１のクリップ部６１と、上方に開口する差し込み溝６２ａを有し当該差し込み溝６２ａに遮蔽板７を差し込むことで遮蔽板７を軒樋１に取り付ける第２のクリップ部６２と、を備えている。本実施形態では、１枚の帯状の金属片を用いてクリップ６を形成している。
【００２６】
第１のクリップ部６１は、略垂直に延在する後壁部６３と、当該後壁部６３の上端から前方に向けて延在する天壁部６４と、天壁部６４の前端から下方かつ後方に向けて延在する斜壁部６５と、当該斜壁部６５の幅方向両端に位置し、天壁部６４の前端から下方に向けて延在する垂下壁部６６と、で構成されており、側面視で、これら後壁部６３、天壁部６４、斜壁部６５、および垂下壁部６６に囲まれた空間部が後側耳部を収納する溝部６１ａとなっている。
【００２７】
天壁部６４には、後側耳部１４の上端に設けられた突起部１４ｂを係合する係合穴６４ａが設けられている。
【００２８】
また、斜壁部６５には、略く字状に折曲することで形成された屈曲部６５ａが設けられており、軒樋１の後側耳部１４にクリップ６を嵌め込んだ際には、この屈曲部６５ａが後側耳部１４を保持することとなる。
【００２９】
第２のクリップ部６２は、上記斜壁部６５と、当該斜壁部６５の幅方向中央部を上方かつ前方に切り起こして形成した切り起こし舌片６７と、で構成されており、側面視で斜壁部６５および切り起こし舌片６７に囲まれた空間部が、遮蔽板７の下端部７ｃが差し込まれる差し込み溝６２ａとなっている。なお、切り起こし舌片６７は、その上端部６７ａが天壁部６４よりも上方に位置するように形成されている。
【００３０】
さらに、本実施形態では、斜壁部６５の幅方向両端には、当該斜壁部６５を切り起こして差し込み溝６２ａ内に突出するように形成した突部６５ｂが設けられており、当該突部６５ｂに遮蔽板７の下端部７ｃを当接させることで、遮蔽板７のクリップ６からの抜けを防止している。
【００３１】
また、天壁部６４には、その両端を前方に突出させたストッパ片（ストッパ）６４ｂが形成されており、このストッパ片６４ｂに遮蔽板７の下端部７ｃのはぜ部７ｄを当接させることで、差し込み溝６２ａ内に下端部７ｃを差し込んだ遮蔽板７のクリップ６からの抜けを防止している。
【００３２】
ここで、本実施形態では、鼻隠し２に取り付けた軒樋１にクリップ６を嵌め込んだ状態で、差し込み溝６２ａが、上方に開口するとともに、上方から下方に向かうにつれて後方に傾斜するようにクリップ６を形成している。すなわち、軒樋１にクリップ６を嵌め込んだ状態で、差し込み溝６２ａの深さ方向が後方かつ下方を向くようにクリップ６を形成している。
【００３３】
遮蔽板７は、下記のようにして軒樋１の後側耳部１４に取り付けられる。
【００３４】
まず、図４および図５に示すように、軒樋１の延在方向（長手方向）に間隔を設けて複数個のクリップ６を上方から後側耳部１４に嵌め込む。このとき、後側耳部１４が第１のクリップ部６１の溝部６１ａ内に収納されるとともに、後側耳部１４の突起部１４ｂが天壁部６４の係合穴６４ａに係合する。そして、斜壁部６５の弾性復元力を利用して斜壁部６５の屈曲部６５ａと後壁部６３とで後側耳部１４を挟持する。このように斜壁部６５の屈曲部６５ａと後壁部６３とで後側耳部１４を挟持することでクリップ６が軒樋１から外れないようにしている。
【００３５】
次に、図５および図６に示すように、クリップ６を軒樋１に取り付けた状態で、遮蔽板７を第２のクリップ部６２の差し込み溝６２ａの深さ方向（図５の矢印方向）に沿ってスライドさせながら当該遮蔽板７の下端部７ｃを差し込み溝６２ａに差し込む。このように、遮蔽板７の下端部７ｃを差し込み溝６２ａに差し込むことで、遮蔽板７がクリップ６を介して軒樋１に取り付けられる。
【００３６】
なお、本実施形態では、作業者が、切り起こし舌片６７の上端部６７ａを手前側（前方）に引いて差し込み溝６２ａを拡開させた状態で、遮蔽板７の下端部７ｃを差し込み溝６２ａに差し込むようになっている。そして、遮蔽板７の下端部７ｃを差し込み溝６２ａに差し込むと、遮蔽板７は、切り起こし舌片６７の弾性復元力によって当該切り起こし舌片６７と突部６５ｂとで挟持される。この遮蔽板７を取り外す際には、切り起こし舌片６７の上端部６７ａを手前側（前方）に引いて差し込み溝６２ａを拡開させた状態で遮蔽板７を引き抜けばよい。
【００３７】
また、本実施形態では、遮蔽板７を、当該遮蔽板７の上端部７ａが屋根先４に設けられて下方に延在する水切り板５の下端部５ａよりも後方に位置するとともに、正面視で遮蔽板７の上端部７ａと水切り板５の下端部５ａとが上下方向にオーバーラップするように、軒樋１に取り付けている。
【００３８】
以上説明したように、本実施形態では、軒樋１の後側耳部１４に嵌め込むクリップ６に、上方に開口するとともに深さ方向が上方から下方に向かうにつれて後方に傾斜する差し込み溝６２ａを設け、遮蔽板７の下端部７ｃを差し込み溝６２ａに差し込むことで遮蔽板７を軒樋１に取り付けるようにした。そのため、遮蔽板７の軒樋１への取付の際に作業者は、手前から斜め下方に遮蔽板７をスライドさせるだけで遮蔽板７の下端部７ｃをクリップ６の差し込み溝６２ａに差し込むことができるため、遮蔽板７の軒樋１への取付を容易に行うことができるようになる。
【００３９】
また、本実施形態によれば、クリップ６に、差し込み溝６２ａ内に突出して遮蔽板７の下端部７ｃに形成されるはぜ部７ｄ当接する突部６５ｂを設けたため、軒樋１へ取り付けた遮蔽板７が容易に抜けてしまうのを抑制することができる。
【００４０】
また、本実施形態によれば、遮蔽板７の下端部７ｃに設けたはぜ部７ｄに当接して遮蔽板７の差し込み溝６２ａに対する抜けを抑制するストッパ片（ストッパ）６４ｂをクリップ６に設けたため、軒樋１へ取り付けた遮蔽板７が抜けてしまうのをより一層抑制することができる。
【００４１】
また、本実施形態によれば、遮蔽板７を、当該遮蔽板７の上端部７ａが屋根先４に設けられて下方に延在する水切り板５の下端部５ａよりも後方に位置するとともに遮蔽板７の上端部７ａと水切り板５の下端部５ａとが上下方向にオーバーラップするように、軒樋１に取り付けることで、水切り板５と軒樋１との間の隙間を遮蔽板７で覆うことができるようになり、軒樋１に落下して跳ね返った雨水が鼻隠し２側に進入してしまうのを抑制することができる。
【００４２】
さらに、遮蔽板７の上端部７ａと水切り板５の下端部５ａとを上下方向にオーバーラップさせ、遮蔽板７の上側が水切り５で覆われるようにすることで、屋根先４から水切り５を伝って流下した雨水が鼻隠し２側に回り込み、鼻隠し２が雨水で濡れてしまうのを抑制することができる。
【００４３】
このとき、遮蔽板７の上端部７ａと水切り板５の下端部５ａとが近接するように遮蔽板７を軒樋１に取り付ければ、屋根先４から水切り５を伝って流下した雨水を遮蔽板７を伝わらせて軒樋１に流下させることができるため、雨水が鼻隠し２側に進入してしまうのをより一層抑制することができる。
【００４４】
また、遮蔽板７の上端部７ａと水切り板５の下端部５ａとを近接させることで、水切り板５と遮蔽板７とによって雨水の流下経路が屈曲するため、水切り板５および遮蔽板７を伝って軒樋１に流下する雨水の流下速度を減少させて跳ね返りを抑制することができるようになるという利点もある。
【００４５】
以上、本発明の好適な実施形態について説明したが、本発明は上記実施形態には限定されず、種々の変形が可能である。
【００４６】
たとえば、上記実施形態では、屋根先に水切り板が設けられている場合における軒樋の遮蔽板取付構造を例示したが、屋根先に水切り板が設けられていない場合であっても、本発明を実施することができる。
【００４７】
また、上記実施形態では、遮蔽板のはぜ部に当接するように突起部を形成しているが、遮蔽板の下端部を差し込み溝に差し込んだ状態で、はぜ部の上方で遮蔽板と当接するように突起部を形成してもよい。こうすれば、突起部が抜け止め防止のストッパも兼ねることができる。
【００４８】
また、遮蔽板や水切り板、軒樋、クリップ、軒樋吊具、その他細部のスペック（形状、大きさ、レイアウト等）も適宜に変更可能である。
【符号の説明】
【００４９】
１  軒樋
４  屋根先
５  水切り板
５ａ  下端部
６  クリップ
６２ａ  差し込み溝
６４ｂ  ストッパ片（ストッパ）
６５ｂ  突部
７  遮蔽板
７ａ  上端部
７ｃ  下端部
７ｄ  はぜ部
【図１】
2010275691.tif 000003
【図２】
2010275691.tif 000004
【図３】
2010275691.tif 000005
【図４】
2010275691.tif 000006
【図５】
2010275691.tif 000007
【図６】
2010275691.tif 000008
【図７】
2010275691.tif 000009